(57)【特許請求の範囲】
【請求項１】
略Ｌ字形状の平面を有する本体と；該本体において、前記略Ｌ字形状の一方向に延びるフィルム部の先端部側に形成されて第１印刷回路基板のパッド部と接着されて接続される第１パッド部と；前記略Ｌ字形状の他方向に延びるフィルム部の先端部側に形成されて第２印刷回路基板のコネクタと締結されて接続される第２パッド部と；前記略Ｌ字形状の本体の角部に形成された少なくとも一つの凹部とを具備することを特徴とするフレキシブル印刷回路フィルム。
【請求項２】
前記凹部は、本体の、前記第２パッド部に隣接した部分に形成されたことを特徴とする請求項１記載のフレキシブル印刷回路フィルム。
【請求項３】
前記凹部は、本体の、前記第２パッド部に隣接した両側面に形成されたことを特徴とする請求項２記載のフレキシブル印刷回路フィルム。
【請求項４】
前記本体は少なくとも一つの角部を有して、前記少なくとも一つの凹部は前記少なくとも一つの角部に形成されていることを特徴とする請求項１記載のフレキシブル印刷回路フィルム。
【請求項５】
前記凹部は前記角部の両側面に形成されたことを特徴とする請求項４記載のフレキシブル印刷回路フィルム。
【請求項６】
前記本体は少なくとも一つの角部を有して、前記凹部は前記角部に少なくとも一つ形成され、さらに、本体の、前記第２パッド部に隣接した部分に少なくとも一つ形成されたことを特徴とする請求項１記載のフレキシブル印刷回路フィルム。
【発明の詳細な説明】
【０００１】
【発明の属する技術分野】
本発明はフレキシブル印刷回路フィルムに関し、特にフレキシブル印刷回路フィルムを印刷回路ボードに締結する時、ボンディング部にかかる張力によってボンディングされたパッドが離脱することを防止するフレキシブル印刷回路フィルムに関する。
【０００２】
【従来の技術】
液晶表示モジュール（Liquid  Crystal Display Panel  Module；以下“ＬＣＭ”という）は電界によって光透過率を調節してビデオ信号に該当する画像を表示する。このために、ＬＣＭは多数の画素がマトリックス形態で配列された液晶パネルと、この液晶パネルを駆動するための駆動回路部とを具備する。液晶パネルに配列された画素のそれぞれはゲートライン及びデータラインの交差部に位置する液晶セルと、ゲートライン上の信号に応答して液晶セルをデータラインに選択的に接続する薄膜トランジスタ（Thin  Film  Transistor：以下“ＴＦＴ”という）とを具備する。液晶パネルを駆動するための駆動回路部は、液晶パネル上のデータラインを駆動するためのデータ駆動ＩＣと、液晶パネル上のゲートラインを駆動するためのゲート駆動ＩＣと、ゲート駆動ＩＣとデータ駆動ＩＣを制御するための制御回路部で構成される。駆動ＩＣは通常チップ形態で製作されてタブ（ＴＡＢ：Tape  Automated  Bonding）方式である場合にはＴＣＰ（Tape  Carrier  Package）上に搭載され、ＣＯＧ（Chips  On  Glass）方式の場合には液晶パネルの表面に搭載される。ＴＡＢ方式の場合に、駆動ＩＣはＴＣＰによって液晶パネルに設けられたパッド部と電気的に接続される。
【０００３】
実際に、ＴＡＢ方式のＬＣＭは図１に図示したように液晶パネル（１）の背面にタイミング制御ボード（６）と、タイミング制御ボード（６）とフレキシブル印刷回路（ＦＰＣ）フィルム（１２）を通して接続されたデータ回路ボード（４）及びゲート回路ボード（２）とを具備する。データ駆動ＩＣチップ（１０）はＴＣＰ（８）に搭載されてＴＣＰ（８）を通して液晶パネル（１）とデータ回路ボード（４）に接続される。図示されていないゲート駆動ＩＣチップもＴＣＰ（８）に搭載されてＴＣＰ（８）を通して液晶パネル（１）とゲート回路ボード（２）に接続される。データ回路ボード（４）はフレキシブル印刷回路フィルム（Flexible  Printed  Circuit  Film：以下“ＦＰＣフィルム”という）（１２）を通してタイミング制御ボード（６）と接続されてタイミング制御ボード（６）とデータ駆動ＩＣチップ（１０）の間のデータ転送を仲介する。
【０００４】
ゲート回路ボード（２）また図示しないＦＰＣフィルムを通してタイミング制御ボード（６）と接続されてタイミング制御ボード（６）とゲート駆動ＩＣチップの間の信号転送を仲介する。データ回路ボード（４）とタイミング制御ボード（６）の間に接続されたＦＰＣフィルム（１２）は通常“Ｌ”字の形状を有する。タイミング制御ボード（６）はＦＰＣフィルム（１２）を通してデータ回路ボード（４）にデータ信号と同期信号を含むデータ制御信号を供給する。また、タイミング制御ボード（６）は図示しないＦＰＣフィルム（１２）を通してゲート回路ボード（２）に同期信号を含むゲート制御信号を供給する。データ駆動ＩＣチップ（１０）が搭載されたＴＣＰ（８）は液晶パネル（１）の一方の側のパッド領域に電気的に接着されると共にデータ回路ボード（４）の一方の側の端に電気的に接着される。ゲート駆動ＩＣチップを搭載したＴＣＰも前記と同一の方法で液晶パネル（１）とゲート回路ボード（２）の間に電気的に接続される。
【０００５】
ＦＰＣフィルム（１２）はデータ回路ボード（４）のパッド部と接続するための第１パッド部（１６）と；タイミング制御ボード（６）と接続するための第２パッド部（１８）とを具備する。まず、ＦＰＣフィルム（１２）の第１パッド部（１６）が異方性の導電フィルム（Anisotropic  Conductive  Film）を通してデータ回路ボード（４）のパッド部に接着されて接続される。続いて、ＦＰＣフィルム（１２）の第２パッド部（１８）がタイミング制御ボード（６）の一方の側端に設けられたコネクタ（１４）に締結されて接続される。ここで、ＦＰＣフィルム（１２）の第２パッド部（１８）をタイミング制御ボード（６）のコネクタ（１４）と締結させる場合に図２に図示したように、外部でコネクタ（１４）へ第２パッド部（１８）側である″Ａ″方向に力が加えられる。この時、第２パッド部（１８）とコネクタ（１４）を締結させる力はＦＰＣフィルム（１２）本体を通してそのまま第１パッド部（１６）へ伝達される。これによって、第１パッド部（１６）とデータ回路ボード（４）のパッドとの接触部分が第１パッド部（１６）へ伝達される力によって離されてしまう現象が発生する。この結果、タイミング制御ボードとデータ回路ボードの間が電気的に断線する致命的な問題が発生する。
【０００６】
【発明が解決しようとする課題】
従って、本発明の目的はＦＰＣフィルムの一方の側のパッド部をコネクタと締結する場合に、ＦＰＣフィルムの異なる側のパッド部と異なる回路ボードとの接着部が外れることを防止することができるＦＰＣフィルムを提供することにある。
【０００７】
【課題を解決するための手段】
前記目的を達成するために、本発明によるＦＰＣフィルムは本体と；前記本体の一方の側端に形成されて第１印刷回路基板のパッド部と接着されて接続される第１パッド部と；前記本体の異なる側端に形成されて第２印刷回路基板のコネクタと締結されて接続される第２パッド部と；前記本体に形成された少なくとも一つの凹部とを具備することを特徴とする。ここで、前記凹部は前記第２パッド部に隣接した本体の両側面に形成される。特に、前記本体には、少なくとも一つの凹部が角部の両側面に形成される。これとは異なり、前記凹部は前記角部に少なくとも一つ形成されて前記第２パッド部に隣接した本体に少なくとも一つ形成される。
【０００８】
【作用】
本発明のＦＰＣフィルムはその両側面に凹部を形成してＦＰＣフィルムの一方の側のパッド部とタイミング制御ボードのコネクタとの締結時にかかる張力によってＦＰＣフィルムの異なる側のパッド部とデータ回路ボードのパッド部との接着部が開放されることを防止することができる。また、ＦＰＣフィルムはその両側面に形成された凹部がコネクタの締結方向へのＦＰＣフィルムの移動を防止してコネクタとＦＰＣフィルムの締結の作業がより容易となる。
【０００９】
【発明の実施態様】
以下、図３乃至図４を参照して本発明の好ましい実施例について詳細に説明する。
【００１０】
図３は本発明の第１実施例によるＦＰＣフィルムを図示した平面図である。
図３に示すように、ＦＰＣフィルム（２０）は図示されないデータ回路ボードのパッド部と接続される第１パッド部（２４）と、図示しないタイミング制御ボードのコネクタ（２８）と接続される第２パッド部（２６）と、ＦＰＣフィルム（２０）の角部に形成された第１及び第２凹部（２０ａ、２０ｂ）とを具備する。ＦＰＣフィルム（２０）は図１に図示したようにタイミング制御ボード（６）とデータ回路ボード（４）の間に位置して電気的に接続される。ＦＰＣフィルム（２０）は一つの折り曲げ部を有する“Ｌ”字の形で形成される。ＦＰＣフィルム（２０）の第１パッド部（２４）は異方性の導電フィルムを通してデータ回路ボードのパッド部と接着されて接続される。第２パッド部（２６）はタイミング制御ボードのコネクタ（２８）に締結されて接続される。タイミング制御ボードのコネクタ（２８）と第２パッド部（２６）の締結時にコネクタ（２８）に加わるＦＰＣフィルム（２０）を通して第１パッド部（２４）へ伝達されることを防止するためにＦＰＣフィルム（２０）の角部に第１凹部（２０ａ）及び第２凹部（２０ｂ）が形成される。
【００１１】
第１凹部（２０ａ）及び第２凹部（２０ｂ）はＦＰＣフィルム（２０）で直角に曲げられる裏側と外側の部分にそれぞれ形成される。このような第１凹部（２０ａ）及び第２凹部（２０ｂ）はタイミング制御ボードのコネクタ（２８）と第２パッド部（２６）の締結時にコネクタ（２８）に加えられる力がＦＰＣフィルム（２０）本体を通して第１パッド部（２４）へ伝達される力を吸収する。これによって、ＦＰＣフィルム（２０）の第１パッド部（２４）とデータ回路ボードの接触部がコネクタ（２８）にくわえられる力によって開放されることを防止することができる。また、第１凹部（２０ａ）及び第２凹部（２０ｂ）はコネクタ（２８）の締結方向へのＦＰＣフィルム（２０）の移動を防止してＦＰＣフィルム（２０）の第２パッド部（２６）とコネクタ（２８）の締結の作業をより容易にする。
【００１２】
図４は本発明の第２実施例によるＦＰＣフィルムを図示した平面図である。
図４を参照すると、ＦＰＣフィルム（３０）は図示されていないデータ回路ボードのパッド部と接続される第１パッド部（３２）と、図示しないタイミング制御ボードのコネクタ（３６）と接続される第２パッド部（３４）と、ＦＰＣフィルム（３０）で第２パッド部（３４）と隣接した部分に形成された第１及び第２凹部（３０ａ、３０ｂ）とを具備する。第１パッド部（３２）は異方性導電フィルム（Anisotropic  Conductive  Film）を通してデータ回路ボードのパッド部と接着されて接続される。第２パッド部（３４）はタイミング制御ボードのコネクタ（３６）に締結されて接続される。
【００１３】
第１凹部（３０ａ）及び第２凹部（３０ｂ）は第２パッド部（３４）と隣接に設置される。換言すれば、第１凹部（３０ａ）及び第２凹部（３０ｂ）は“Ｌ”字の形状であるＦＰＣフィルム（３０）の角部と第２パッド部（３６）の間の両側面に形成される。第１凹部（３０ａ）及び第２凹部（３０ｂ）はタイミング制御ボードのコネクタ（３６）と第２パッド部（３４）の締結時にコネクタ（３６）へ加わる力がＦＰＣフィルム（３０）の本体を通して第１パッド部（３２）へ伝達される力を吸収する。これによって、ＦＰＣフィルム（３０）の第１パッド部（３２）とデータ回路ボードの接触部がコネクタ（３６）に加わる力によって外れることを防止することができる。また、締結作業がより容易になる。また、第１凹部（３０ａ）及び第２凹部（３０ｂ）はコネクタ（３６）の締結の方向へのＦＰＣフィルム（３０）の動きを防止してＦＰＣフィルム（３０）の第２パッド部（３４）とコネクタ（３６）の締結の作業をより容易にする。
【００１４】
【発明の効果】
上述したように、本発明によるＦＰＣフィルムはその両側面に凹部を形成してＦＰＣフィルムの一方の側のパッド部とタイミング制御ボードのコネクタとの締結時に加えられる張力によってＦＰＣフィルムの異なる側のパッド部とデータ回路ボードとの接着部が外れることを防止することができる。また、本発明によるＦＰＣフィルムはその両側面に形成された凹部がコネクタの締結方向へのＦＰＣフィルムの移動を防止してコネクタとＦＰＣフィルムの締結の作業をより容易とする。
【００１５】
以上説明した内容を通して当業者であれば本発明の技術思想を逸脱しない範囲で多様な変更及び修正が可能であることを理解するはずである。従って、本発明の技術的な範囲は明細書の詳細な説明に記載された内容に限定されずに、特許請求の範囲によって定めなければならない。
【図面の簡単な説明】
【図１】  図１は従来の技術によるテープ・キャリアー・パッケージ・タイプの液晶表示モジュールの概念を図示した写視図である。
【図２】  図２は図１に図示されたフレキシブル印刷回路フィルムを図示した平面図である。
【図３】  図３は本発明の第１実施例によるフレキシブル印刷回路フィルムを図示した平面図である。
【図４】  図４は本発明の第２実施例によるフレキシブル印刷回路フィルムを図示した平面図である。
【符号の説明】
１：液晶パネル
２：ゲート回路ボード
４：データ回路ボード
６：タイミング制御ボード
８：ＴＣＰ
１０：データ駆動ＩＣチップ
１２、２０、３０：フレキシブル印刷回路（ＦＰＣ）フィルム
１４、２８、３６：コネクタ
１６、２４、３２：第１パッド部
１８、２６、３４：第２パッド部
２０ａ、２０ｂ、３０ａ、３０ｂ：第１及び第２凹部
【図１】
0003951034.tif 000002
【図２】
0003951034.tif 000003
【図３】
0003951034.tif 000004
【図４】
0003951034.tif 000005